(57)【要約】【課題】  配置スペースの増加及び装置構成の複雑化によるコスト増加のないフイルムスキャナ用情報検出装置を提供することを目的とする。【解決手段】  フイルムスキャナには、写真フイルムのコマ画像を読み取る際に、予めコマ画像の画面位置やサイズなどの予備情報を検出する複数の光学センサが組み込まれる。この光学センサのセンサ光を発する光源として、異なる波長の複数種類の光を発光する発光素子ユニット５２が使用される。発光素子ユニット５２は、異なる波長の光を発するチップ型ＬＥＤ５４Ｇ，５４Ｏ，５４Ｗを台座５６上に配列し、それらを１パッケージ化したものである。各ＬＥＤ５４Ｇ，５４Ｏ，５４Ｗは、それぞれ、緑色，橙色，白色の光を発する。発光素子ユニット５２の発光色は、予備情報の種類や、写真フイルムの種類に応じて切り替えられる。【選択図】        図２
2006033474.tif 000002
【特許請求の範囲】
【請求項１】
写真フイルム上のコマ画像を読み取るフイルムスキャナに用いられ、前記コマ画像の読み取りに際して、前記写真フイルムに光源からセンサ光を照射して、そのセンサ光を受光部によって受光することにより、前記コマ画像の画面位置情報又はサイズ情報を含む予備情報を検出するフイルムスキャナ用情報検出装置において、
前記光源は、１つの台座上に配列され波長が異なる複数種類のチップ型発光素子を１パッケージ化した発光素子ユニットであり、この発光素子ユニットの発光波長を制御する発光波長制御部が設けられていることを特徴とするフイルムスキャナ用情報検出装置。
【請求項２】
前記発光波長制御部は、写真フイルムの種類に応じて発光波長を切り替えることを特徴とする請求項１記載のフイルムスキャナ用情報検出装置。
【請求項３】
前記複数種類のチップ型発光素子には、カラーネガフイルムに適した橙色のセンサ光を発光する第１発光素子と、リバーサルフイルム及び白黒フイルムに適した白色のセンサ光を発光する第２発光素子とが含まれることを特徴とする請求項２記載のフイルムスキャナ用情報検出装置。
【請求項４】
さらに、前記予備情報には、フイルムキャリアの搬送路内の特定位置に写真フイルムが供給されたか否かを表すフイルム検出情報が含まれており、前記複数種類のチップ型発光素子には、このフイルム検出に適した緑色のセンサ光を発光する第３発光素子が含まれており、前記発光波長制御部は、前記予備情報の種類に応じて発光波長を切り替えることを特徴とする請求項１〜３いずれか記載のフイルムスキャナ用情報検出装置。
【発明の詳細な説明】
【技術分野】
【０００１】
写真フイルム上のコマ画像を読み取るフイルムスキャナに用いられるフイルムスキャナ用情報検出装置であり、さらに詳しくは、写真フイルム上のコマ画像の画面位置や大きさなど、コマ画像の読み取りの際に必要な予備情報を検出するフイルムスキャナ用情報検出装置に関するものである。
【背景技術】
【０００２】
カラーネガフイルム、白黒フイルム、リバーサルフイルムなどの写真フイルムに光を照射して、その透過光をＣＣＤイメージセンサなどの撮像手段で受光して光電変換することにより、写真フイルムに記録されたコマ画像を読み取って、デジタルな画像データとして取り込むフイルムスキャナが知られている（例えば、下記特許文献１参照）。
【０００３】
写真フイルムは、フイルムキャリア内の搬送路を通ってＣＣＤイメージセンサと対向する読み取り位置に送られて、コマ画像の読み取りが行われる。適切なコマ画像の読み取りを行うためには、写真フイルム上のコマ画像の画面位置及び大きさの把握が不可欠である。そこで、フイルムスキャナでは、コマ画像の読み取りが行われるまでの間に、まず、搬送路内の特定位置で写真フイルムの有無を検出して、写真フイルムが正常に供給されたか否かを調べ、この後、コマ画像の搬送方向における画面位置や、コマ画像の幅方向の大きさを検出する。
【０００４】
こうしたコマ画像の予備情報の検出は、写真フイルムにセンサ光を照射する光源と、この光源と対向する位置に配置され、写真フイルムを透過したセンサ光を受光する受光部とからなる光学センサによって行われる。フイルム検出は、光源と受光部との間に写真フイルムが存在しない状態での受光レベルと、写真フイルムの先端が光源と受光部との間に進入したときの受光レベルの差に基づいて行われる。コマ画像の画面位置及び大きさは、写真フイルムの未露光部分の濃度（ベース濃度）と、露光部分であるコマ画像の濃度との差に基づいて検出される。光源としては、例えば、ＬＥＤが使用され、受光部としては、ＣＣＤラインセンサやＰＳＤ（Position Sensitive Detector）センサが使用される。
【０００５】
フイルムキャリアの搬送路上には、フイルムを検出するフイルム検出センサ，コマ画像の搬送方向の画面位置を検出する位置検出センサ，コマ画像の幅方向の大きさを検出するサイズ検出センサなど、予備情報の種類に応じた複数の光学センサが、並べて配列される。
【０００６】
これら光学センサの検出精度を上げるためには、写真フイルムの色に応じて、センサ光の波長を適切に選択する必要がある。下記特許文献１のフイルムスキャナでは、カラーネガフイルムに適したセンサ光の発光波長を約６００ｎｍ〜６２０ｎｍ（橙色）であるとし、この波長の光を発するＬＥＤを光学センサの光源として使用している。
【０００７】
【特許文献１】特開２００４−１１８０６１号公報
【発明の開示】
【発明が解決しようとする課題】
【０００８】
しかしながら、写真フイルムには、カラーネガフイルムの他に、白黒フイルムやリバーサルフイルムなど各種のものがあり、それぞれ色が異なるため、センサ光の最適な発光波長も異なる。このため、上記特許文献１記載のフイルムスキャナのように、特定の１種類の写真フイルムに適した波長のセンサ光を選択しても、当該写真フイルムに関しては良好な検出精度が得られるものの、種類が異なる写真フイルムに対しては、良好な精度が得られない。そこで、写真フイルムの種類に応じて、それぞれに適切な波長を発する複数種類のＬＥＤを備えた光学センサを、搬送路上に並べて配置することが考えられる。
【０００９】
しかし、上述したとおり、コマ読み取りの際に検出すべき予備情報は、複数種類（フイルム検出情報や位置情報及びサイズ情報）有り、それぞれに別々の光学センサが設けられている。これら複数種類の各光学センサについて、フイルムの種類に応じた光源を持つ複数の光学センサを設けるとなると、光学センサの数が徒に多くなり、配置スペースの確保が困難になるとともに、装置構成が複雑化してコストが増加するという問題が生じる。
【００１０】
本発明は、配置スペースの増加及び装置構成の複雑化によるコスト増加のないフイルムスキャナ用情報検出装置を提供することを目的とする。
【課題を解決するための手段】
【００１１】
本発明のフイルムスキャナ用情報検出装置は、写真フイルム上のコマ画像を読み取るフイルムスキャナに用いられ、前記コマ画像の読み取りに際して、前記写真フイルムに光源からセンサ光を照射して、そのセンサ光を受光部によって受光することにより、前記コマ画像の画面位置情報又はサイズ情報を含む予備情報を検出するフイルムスキャナ用情報検出装置において、前記光源は、１つの台座上に配列され波長が異なる複数種類のチップ型発光素子を１パッケージ化した発光素子ユニットであり、この発光素子ユニットの発光波長を制御する発光波長制御部が設けられていることを特徴とする。
【００１２】
前記発光波長制御部は、写真フイルムの種類に応じて発光波長を切り替えることが好ましい。
【００１３】
前記複数種類のチップ型発光素子には、カラーネガフイルムに適した橙色のセンサ光を発光する第１発光素子と、リバーサルフイルム及び白黒フイルムに適した白色のセンサ光を発光する第２発光素子とが含まれることが好ましい。
【００１４】
さらに、前記予備情報には、フイルムキャリアの搬送路内の特定位置に写真フイルムが供給されたか否かを表すフイルム検出情報が含まれており、前記複数種類のチップ型発光素子には、このフイルム検出に適した緑色のセンサ光を発光する第３発光素子が含まれており、前記発光波長制御部は、前記予備情報の種類に応じて発光波長を切り替えることが好ましい。
【発明の効果】
【００１５】
本発明は、写真フイルム上のコマ画像を読み取るフイルムスキャナに用いられ、前記コマ画像の読み取りに際して、前記写真フイルムに光源からセンサ光を照射して、そのセンサ光を受光部によって受光することにより、前記コマ画像の画面位置情報又はサイズ情報を含む予備情報を検出するフイルムスキャナ用情報検出装置において、前記光源を、１つの台座上に配列され波長が異なる複数種類のチップ型発光素子を１パッケージ化した発光素子ユニットとし、この発光素子ユニットの発光波長を制御する発光波長制御部を設けたから、配置スペースの増加、装置構成の複雑化によるコストの増加を防止することができる。
【発明を実施するための最良の形態】
【００１６】
図１に示すデジタルラボシステム１０は、フイルムスキャナ１１、画像処理装置１２、画像出力装置１３から構成される。画像出力装置１３は、レーザー露光ユニット１６とプロセッサ１７から構成されている。フイルムスキャナ１１は、写真フイルム１８に記録されたコマ画像を光電的に読み取り、これをデジタルな画像データとして画像処理装置１２に出力する。画像処理装置１２は、前記画像データに対して画像処理を施して、プリントデータを作成する。また、画像処理装置１２は、例えば、パーソナルコンピュータやワークステーションなどをベースに構成されており、デジタルラボシステム１０全体を制御するコントローラとして機能する。
【００１７】
レーザー露光ユニット１６は、印画紙に対して、プリントデータに基づいてレーザー光を照射して走査露光する。プロセッサ１７は、露光済みの印画紙に対して現像処理を施して写真プリントを出力する。
【００１８】
フイルムスキャナ１１は、ハロゲンランプ２１、色分解フイルタ２２Ｒ，２２Ｇ，２２Ｂ、拡散ボックス２３、フイルムキャリア２４、レンズユニット２５，２６、ファインスキャン用ＣＣＤセンサ２７，プレスキャン用ＣＣＤセンサ２８等からなるコマ画像読み取り部３０と、コマ画像の読み取りを行う前に、コマ画像の画面位置情報やコマ画像のサイズ情報を含む予備情報を検出するセンサ部４０からなる。
【００１９】
ハロゲンランプ２１は、コマ画像を読み取るための白色光を発光する。符合２９は、ハロゲンランプ２１の光を前方に向けて反射するリフレクタである。色分解フイルタ２２Ｒ，２２Ｇ，２２ｂは、ハロゲンランプ２１の光路上に選択的に進退自在に設けられており、前記白色光を、それぞれ赤色光（Ｒ），緑色光（Ｇ），青色光（Ｂ）の各色に分解する。分解された各色の光は拡散ボックス２３を通って順次写真フイルム１８に照射される。拡散ボックス２３は、内面が反射面となっており、入射した光をこの反射面で反射させて拡散することにより、光量ムラを低減する。
【００２０】
拡散ボックス２３から出射した光は、フイルムキャリア２４の搬送路上の第１読み取り位置Ｐ１と、第２読み取り位置Ｐ２とに向けて投光される。第１読み取り位置Ｐ１は、ファインスキャン用ＣＣＤセンサ２７と対向する位置であり、第２読み取り位置Ｐ２は、プレスキャン用ＣＣＤセンサ２７と対向する位置である。第１読み取り位置Ｐ１は、拡散ボックス２３の出射面と対向しており、拡散ボックス２３から出射した光がダイレクトに投光される。拡散ボックス２３とフイルムキャリア２４の間には、拡散ボックス２３から出射する光の一部を、第２読み取り位置Ｐ２に向けて反射する反射板３１が配置されている。反射板３１で反射した光は反射板３２に向かい、この反射板３２でもう１度反射して第２読み取り位置Ｐ２に投光される。
【００２１】
各読み取り位置Ｐ１，Ｐ２で写真フイルム１８を透過した透過光は、各レンズユニット２５，２６によって、それぞれ各ＣＣＤセンサ２７，２８の光電面に結像される。各ＣＣＤセンサ２７，２８は、受光した画像光を光電変換して、受光レベルに応じたアナログの電気信号をＡ／Ｄコンバータ３４に出力する。Ａ／Ｄコンバータ３４は、アナログの電気信号をデジタル信号に変換して、これをコマ画像データとして画像処理装置１２へ出力する。プレスキャンは、本画像データを取得するファインスキャンに先だって、その読み取り条件（電荷蓄積時間など）を決定するために行われる。プレスキャンでは、ファインスキャンの読み取り画素数に対して、低画素数で読み取りが行われる。プレスキャンで読み取ったプレスキャンデータに基づいて、各コマ画像の記録濃度が測定されて、読み取り条件が決定される。
【００２２】
フイルムキャリア２４は、写真フイルム１８の幅に対応した搬送路を構成するガイド板や、写真フイルム１８を搬送する搬送ローラなどからなり、装填された写真フイルム１８を、前記第１及び第２の各読み取り位置Ｐ１，Ｐ２に供給する。プレスキャンが行われる第２読み取り位置Ｐ２は、ファインスキャンが行われる第１読み取り位置Ｐ１よりも、写真フイルム１８の搬送方向（図中の矢印Ａ方向）の上流側に位置している。プレスキャンでは、低画素数で読み取りが行われるから、ファインスキャンよりも搬送速度が速い。このため、第１読み取り位置Ｐ１と、第２読み取り位置Ｐ２との間には、写真フイルム１８をループ状に湾曲させて滞留させることにより、プレスキャン時の搬送速度（速い）と、ファインスキャン時の搬送速度（遅い）の速度差を緩衝する滞留機構３６が設けられている。
【００２３】
プレスキャンやファインスキャンを正確に行うためには、コマ画像の画面位置や、コマ画像のサイズを正確に把握する必要がある。センサ部４０は、コマ画像読み取り部３０の上流側に配置されており、コマ画像の読み取りの際に必要な予備情報を検出する。予備情報としては、搬送路内の特定位置に写真フイルム１８が供給されたことを表すフイルム検出情報、コマ画像の搬送方向の画面位置情報，コマ画像の幅方向のサイズ情報がある。センサ部４０は、これらの各情報を検出する複数種類のセンサ４１〜４３から構成される。
【００２４】
各センサ４１〜４３は、センサ光を写真フイルム１８に照射する光源４１ａ〜４３ａと、前記センサ光を受光する受光部４１ｂ〜４３ｂとからなる光学センサである。センサ４１は、フイルム検出情報を取得するフイルム検出センサであり、写真フイルム１８の先端がセンサ部４０に供給されたことを検出する。
【００２５】
センサ４２は、コマ画像が記録された部分の濃度と、未記録部分の濃度（ベース濃度）との差に基づいてコマ画像のエッジを検出することにより、コマ画像の画面位置を検出する画面検出センサである。
【００２６】
センサ４３は、サイズ情報を検出するサイズ検出センサである。コマ画像のサイズには、例えば、標準サイズの他に、この標準サイズとはアスペクト比が異なるパノラマサイズがある。パノラマサイズは、標準サイズと横（搬送方向）の長さは同じだが、縦（幅方向）の長さが短く、このサイズのコマ画像の上下は素抜け（未記録）になる。サイズ検出センサ４３は、パノラマサイズにおいて素抜けとなる領域の濃度レベルを検出する。標準サイズの場合には画像が記録されているので、その平均濃度は高く、他方、パノラマサイズの場合には素抜けなので濃度レベルは低い。この濃度レベルに応じて、コマ画像のサイズが識別される。
【００２７】
各光源４１ａ〜４３ａとしては、図２（Ａ）に示す発光素子アレイ５１が使用される。発光素子アレイ５１は、複数の発光素子ユニット５２を基板５３上にライン状に配列したものである。図２（Ｂ），（Ｃ）に示すように、各発光素子ユニット５２は、異なる波長の光を発光する複数のＬＥＤ５４Ｇ，５４Ｏ，５４Ｗと、これら複数のＬＥＤ５４Ｇ，５４Ｏ，５４Ｗを実装する台座５６とからなる。ＬＥＤ５４Ｇ，５４Ｏ，５４Ｗとしては、略直方体形状をしたチップ型ＬＥＤが使用される。発光素子ユニット５２は、これら３色のＬＥＤ５４Ｇ，５４Ｏ，５４Ｗの３つのＬＥＤを１パッケージにしたものである。
【００２８】
台座５６の表面には、各ＬＥＤ５４Ｇ，５４Ｏ，５４Ｗの一方の電極と接続するための接点や、各ＬＥＤの他方の電極と台座５６とをワイヤボンディングするためのランドなどが形成されており、その裏面からは、発光素子ユニット５２を基板５３に接続するための複数のリード部５７が延びている。リード部５７は、そのうちの１本に３つのＬＥＤ５４Ｇ，５４Ｏ，５４Ｗの共通電極（例えばプラス電極）が割り当てられており、残りの３本には、それぞれ各ＬＥＤ５４Ｇ，５４Ｏ，５４Ｗの個別電極（例えばマイナス電極）が割り当てられている。台座５６には、各ＬＥＤ５４Ｇ，５４Ｏ，５４Ｗを覆って保護する略円筒形の透明なカバー５８が取り付けられている。
【００２９】
図３の表に示すように、フイルム検出に適しているセンサ光の発光色は、緑色であり、
コマ画像の画面位置やサイズを検出するのに適しているセンサ光の発光色は、白黒フイルム及びリバーサルフイルムについては、白色であり、カラーネガフイルムについては、橙色である。各ＬＥＤ５４Ｇ，５４Ｏ，５４Ｗは、これらの各色の光をそれぞれ発光する。
【００３０】
図４（Ａ）〜（Ｃ）に示すグラフは、各ＬＥＤ５４Ｇ，５４Ｏ，５４Ｗの発光波長域を示すグラフである。図４（Ａ）に示すように、ＬＥＤ５４Ｇは、緑色の光を発光するＬＥＤであり、図４（Ｂ）に示すように、ＬＥＤ５４Ｏは、橙色（オレンジ）の光を発光するＬＥＤであり、図４（Ｃ）に示すように、ＬＥＤ５４Ｗは、白色の光を発光するＬＥＤである。
【００３１】
この発光素子ユニット５２は、各センサ４１〜４３に共通に使用される。フイルム検出センサ４１は、３つのＬＥＤのうち、ＬＥＤ５４Ｇを点灯させて使用する。画面検出センサ４２及びサイズ検出センサ４３は、カラーネガフイルムの場合には、ＬＥＤ５４Ｏを点灯させ、他方、白黒フイルム及びリバーサルフイルムの場合には、ＬＥＤ５４Ｗを点灯させるというように、ＬＥＤ５４Ｏ，５４Ｗを選択的に使用する。各発光素子ユニット５２は、ＬＥＤドライバ６１によって、定電流駆動される。
【００３２】
受光部４１ｂ〜４３ｂは、各光源４１ａ〜４３ａからのセンサ光を受光して、その光量レベルに応じた電気信号を検出信号として出力する。各受光部４１ｂ〜４３ｂとしては、例えば、ＣＣＤラインセンサやＰＳＤセンサが使用される。
【００３３】
画像処理装置１２は、ＣＰＵ７１，画像メモリ７２，画像処理部７３，ＲＡＭ７４，ＲＯＭ７５，ＬＵＴ７６，ディスプレイ７７，操作部７８からなる。ディスプレイ７７は、
デジタルラボシステムを操作する操作画面や、フイルムスキャナ１１が読み取ったコマ画像を表示する。操作部７８は、キーボードやマウスなどからなる。オペレータは、ディスプレイ７７や操作部７８を通じて、デジタルラボシステム１０を操作する。
【００３４】
画像メモリ７２は、Ａ／Ｄコンバータ３４が出力するコマ画像データを記憶するメモリである。画像処理部７３は、画像メモリ７２から画像データを読み出して、階調補正やシェーディング補正など各種の画像処理を施して、プリントデータを生成する。このプリントデータがレーザー露光ユニット１６に送られる。
【００３５】
ＣＰＵ７１は、画像処理装置１２及びこの画像処理装置１２に接続されるフイルムスキャナ１１を制御する。ＲＯＭ７５には、ＣＰＵ７１が実行する各種制御プログラムや設定データが記憶されている。ＲＡＭ７４は、ＣＰＵ７１がプログラムを実行する際の作業用メモリである。
【００３６】
また、ＣＰＵ７１は、ＬＥＤドライバ６１を通じて、各ＬＥＤ５４Ｇ，５４Ｏ，５４Ｗを選択的に発光させることで、センサ光の発光波長を切り替える発光波長制御を行うとともに、例えば、駆動パルスのデューティ比（パルス幅／周期）を変化させるＰＷＭ制御によって、光量制御を行う。このＣＰＵ７１と、前記センサ部４０とによって、予備情報を検出するフイルムスキャナ用情報検出装置が構成される。
【００３７】
ＬＵＴ７６は、画面検出センサ４２及びサイズ検出センサ４３の発光波長を、写真フイルムの種類に応じて切り替える際に、ＣＰＵ７１によって参照されるテーブルメモリである。ＬＵＴ７６には、カラーネガフイルムの場合には橙色、リバーサルフイルム及び白黒フイルムの場合には白色というように、フイルムの種類と、それに適した発光色とが関係づけて記憶されている。フイルムの種類は、オペレータが実際の写真フイルム１８を目視で確認して、操作部７８から入力される。ＣＰＵ７１は、入力されたフイルムの種類に基づいて、ＬＵＴ７６を参照して、発光色を決定し、ＬＥＤドライバ６１を通じて各センサ４２，４３の発光色を切り替える。また、フイルム検出センサ４１については、フイルムの種類に関わらず、緑色の光を発光するＬＥＤ５４Ｇが点灯される。
【００３８】
以下、上記構成による作用について説明する。写真フイルム１８の読み取りを行う場合には、オペレータは、フイルムスキャナ２４に写真フイルム１８をセットするとともに、操作部７８を通じて、当該写真フイルム１８の種類を指定する。読み取り開始指示が与えられると、写真フイルム１８の給送が開始される。この給送開始とともに、ＣＰＵ７１は、指定されたフイルムの種類に応じて、画面検出センサ４２，サイズ検出センサ４３の発光色を決定し、センサ部４０を駆動する。写真フイルム１８が適正に搬送されて、フイルム検出センサ４１の位置まで到達すると、フイルム検出センサ４１が写真フイルム１８を検出し、その検出信号をＣＰＵ７１に送る。ＣＰＵ７１は、この位置を基準に写真フイルム１８の搬送量のカウントを開始する。さらに、写真フイルム１８が送られて、画面検出センサ４２に達すると、画面検出センサ４２がコマ画像の先端エッジを検出し、その検出信号がＣＰＵ７１に送られる。ＣＰＵ７１は、この検出信号に基づいてコマ画像の先端位置を特定する。続いて、サイズ検出センサ４３によって、サイズ情報が検出される。
【００３９】
各センサ４１，４２，４３の発光色は、フイルムの種類や予備情報の種類に応じて適切な色に決定されるから、高い精度で検出することができる。また、光源４１ａ，４１ｂ，４１ｃとして、複数のＬＥＤ５４Ｇ，５４Ｏ，５４Ｗを１パッケージ化した発光素子ユニット５２を使用しているから、各色に発光するＬＥＤユニットを複数個並べて配置する場合と比較して、配置スペースの増加や、装置構成の複雑化が抑えられる。
【００４０】
また、各センサ４１〜４３に、同一の発光素子ユニット５２を使用することで、異なる色のＬＥＤを、それぞれの色に応じて異なる位置に取り付ける場合と比較して、異なる色のＬＥＤを間違った位置に取り付けてしまうといった組み立て不具合も防止されるので、組み立て適性も向上する。こうした組み立て不具合は、センサの数が増えるほど、その蓋然性が高まるので、そうした場合に本発明は特に有効である。
【００４１】
センサ部４０によって検出された予備情報に基づいて、コマ画像の位置やサイズが特定され、それに基づいて、コマ画像のプレスキャン及びファインスキャンが行われる。読み取られたコマ画像データは、画像処理装置１２によって画像処理が施され、プリントデータに変換される。画像出力装置１３は、このプリントデータに基づいて印画紙に対して露光処理及び現像処理を施して写真プリントを生成する。
【００４２】
上記実施形態では、フイルム検出情報、コマの画面位置情報、コマのサイズ情報の３種類の予備情報を検出する３つのセンサを設けた例で説明したが、これ以外の予備情報（例えば、ＩＸ２４０タイプの写真フイルムに記録されたＤＸコード（バーコード情報）など）を検出するセンサを使用してもよい。また、１つの発光素子ユニット内のチップ型ＬＥＤの数を、３つとした例で説明しているが、ＬＥＤの数は、３つ以外でもよく、これら予備情報の種類及び写真フイルムの種類に応じて適宜決定される。
【００４３】
また、発光素子ユニット内のＬＥＤの発光波長を、緑色，橙色，白色の３色とした例で説明したが、これらの色も、前記予備情報の種類及び写真フイルムの種類に応じて適宜決定される。例えば、白黒フイルムのコマ画面位置やサイズを検出するセンサ光としては、白色の他に青色を使用してもよい。
【００４４】
さらに、発光素子ユニット内の複数のＬＥＤを混色させて、発光波長の切り替え（色の切り替え）を行うようにしてもよい。この場合には、検出を行う前に、センサ光を試験点灯させて、検出対象となる写真フイルムに最も適切なセンサ光を調べ、その適切なセンサ光を用いて予備情報検出を行ってもよい。
【００４５】
また、上記実施形態では、写真フイルムの種類の指定を、オペレータが行う例で説明しているが、前記ＤＸコードなどを読み取って自動的に判別して、発光色の切り替えを自動的に行うようにしてもよい。また、写真フイルムの種類の自動判別に当たっては、写真フイルムの先端に付けられるチェックテープを利用してもよい。
【００４６】
図５（Ａ）に示すように、チェックテープ９１は、写真フイルム９２の先端にテープによって取り付けられる。このチェックテープ９１は、プリント注文を受け付けたときに、各オーダー毎に発行される。このチェックテープ９１には、受付日，プリント枚数，写真フイルム種別など各種の注文受付情報が、例えば、バーコード９１ａで記録される。写真フイルム９２は、チェックテープ９１が取り付けられた状態で、現像処理が行われるとともに、フイルムキャリア２４に装填されてフイルムスキャンが実行される。
【００４７】
図５（Ｂ）のフローチャートに示すように、写真フイルム９２が給送されると、搬送路上に配置されたバーコードリーダ９３によって前記バーコード９１ａが読み取られる。そして、ＣＰＵ７１は、前記バーコード９１ａに含まれる写真フイルム種別情報から、写真フイルム９２の種別を判定して、発光素子ユニット５２の発光色を決定する。写真フイルム９２がネガフイルムの場合には、発光色は橙色に決定され、リバーサルフイルムや白黒フイルムの場合には、白色に決定される。
【００４８】
また、発光素子として、ＬＥＤを使用した例で説明したが、ＥＬなど他の発光素子を使用してもよい。
【図面の簡単な説明】
【００４９】
【図１】本発明の情報検出装置が組み込まれたデジタルラボシステムの概略構成図である。
【図２】発光素子ユニットの説明図である。
【図３】予備情報の種類及び写真フイルムの種類と、それらに適したセンサ光の発光色との対応を示す表である。
【図４】発光素子ユニット内の３つのチップ型ＬＥＤの発光波長を示すグラフである。
【図５】フイルム種を自動判別して発光色を切り替える方法の説明図である。
【符号の説明】
【００５０】
１０  デジタルラボシステム
１１  フイルムスキャナ
１２  画像処理装置
４１  フイルム検出センサ
４２  画面検出センサ
４３  サイズ検出センサ
５１  光源
５２  発光素子ユニット
５４Ｇ，５４Ｏ，５４Ｗ  チップ型ＬＥＤ
５６  台座
７１  ＣＰＵ
６１  ＬＥＤドライバ
【図１】
2006033474.tif 000003
【図２】
2006033474.tif 000004
【図３】
2006033474.tif 000005
【図４】
2006033474.tif 000006
【図５】
2006033474.tif 000007